(57)【要約】【課題】帯状シートの幅方向の端縁から延出する糸状弾性体の不安定な部分を効率良く除去して、外観の良い伸縮性シートを効率よく製造することのできる伸縮性シートの製造方法を提供すること。【解決手段】一対の帯状シート間に糸状弾性体７を伸長状態に固定した伸縮性シート３を連続的に製造する伸縮性シートの製造方法であり、弾性体巻回手段を用いて糸搬送用長手構造体に巻回した糸状弾性体７を、当該長手構造体によりその長手方向に搬送した後、帯状シート５０，６０間に挟んで固定する固定工程と、糸状弾性体７における帯状シートの幅方向両端縁から延出する部分７２を切断して、長手構造体に対する巻回状態を解除する第１切断工程と、糸状弾性体７における帯状シート５０，６０の幅方向両端縁から延出する部分７２の全体又は一部を切断により除去する第２切断工程とを具備する。【選択図】図４
2012090836.tif 000002
【特許請求の範囲】
【請求項１】
一対の帯状シートの間に糸状弾性体を該帯状シートの搬送方向と交差する方向に伸長した状態に固定した伸縮性シートを連続的に製造する伸縮性シートの製造方法であって、
弾性体巻回手段を用いて糸状弾性体を、糸搬送用長手構造体に連続的に巻回し、巻回した該糸状弾性体を、該糸搬送用長手構造体によりその長手方向に搬送した後、前記帯状シート間に挟んで固定する固定工程と、該固定工程後に、前記糸状弾性体における前記帯状シートの幅方向両端縁から延出する部分を切断して、該糸状弾性体の前記糸搬送用長手構造体に対する巻回状態を解除する第１切断工程と、第１切断工程後に、前記糸状弾性体における前記帯状シートの幅方向両端縁から延出する部分の全体又は一部を切断により除去する第２切断工程とを具備する、伸縮性シートの製造方法。
【請求項２】
第２切断工程において、前記糸状弾性体における、前記帯状シートの幅方向両端縁から延出する部分のみを切断する請求項１記載の伸縮性シートの製造方法。
【請求項３】
第２切断工程において、前記糸状弾性体を、前記帯状シートの幅方向両端縁から延出する部分の長さが５ｍｍ以下となるように切断する請求項２記載の伸縮性シートの製造方法。
【請求項４】
第２切断工程においては、前記帯状シートの幅方向両端縁より内側の部分を切断して、該帯状シートの一部と共に前記糸状弾性体の前記収縮部分を除去する請求項１記載の伸縮性シートの製造方法。
【請求項５】
前記帯状シートを切断する位置は、該帯状シートの幅方向両端縁それぞれからの距離が、該帯状シートの全幅の０〜２０％となる位置である、請求項４記載の伸縮性シートの製造方法。
【請求項６】
一対の前記帯状シートとして、幅方向両端部をそれぞれの外面側に折り返して細幅にした帯状シートを用いて、前述した固定工程、第１切断工程及び第２切断工程を行った後、該帯状シートそれぞれの折り返し部分を拡げて、一対の該帯状シートの拡げた部分同士を接合する、請求項１〜５の何れか１項記載の伸縮性シートの製造方法。
【発明の詳細な説明】
【技術分野】
【０００１】
本発明は、伸縮性シートの製造方法に関する。
【背景技術】
【０００２】
資材をできる限り省き、廃棄物をできる限り抑え、環境に優しく、コストを抑えるという観点から、ファスニングテープを備えたウエストパネル材を別工程で製造しておき、吸収体を含む長方形状の吸収性本体にこのウエストパネル材を付加して製造される展開型の使い捨ておむつが知られている。ウエストパネル材は、装着性の観点から、伸縮性の部材であることが好ましく、ウエストパネル材としては、一般的に伸縮性のフィルムを用いて形成されたものが用いられる。しかし、伸縮性のフィルムはコストがかかるため、汎用の弾性部材である所謂糸ゴムを用いてウエストパネル材を形成することが好ましい。但し、糸ゴムを用いてウエストパネル材を得る工程と、そのウエストパネル材を吸収性本体に付加して展開型の使い捨ておむつを得る工程とを一連の流れで連続して行う場合、糸ゴムを用いて形成したウエストパネル材の伸縮方向は、一般的に吸収性本体の搬送方向と同方向となり、展開型の使い捨ておむつの着用時に求められるウエストパネル材の伸縮方向と直交する方向となる。従って、糸ゴムを用いて形成したウエストパネル材をインライン工程で吸収性本体に付加して展開型の使い捨ておむつを製造する場合、糸ゴムを用いて形成したウエストパネル材を９０度反転させて吸収性本体に付加する必要がある。このようにウエストパネル材を９０度反転させる装置が別途必要となるため、設備投資の増大を招いてしまう。
【０００３】
上述のような９０度反転させる装置を使用しない方法として、例えば、特許文献１，特許文献２には、長さ方向に走行中の透水性シートに接着剤を塗布し、該接着剤塗布面に、テンションの与えられた糸状弾性体を、走行するシートのシート面に沿って且つシート走行方向に向けてジグザグ状態で平行移動させ、該糸状弾性体を伸張させた状態でシートに接着する工程と、前記糸状弾性体を両端で切断する工程とを行う伸縮性シートの製造方法が記載されている。また、特許文献１には、ジグザグ状態の糸状弾性体を、平行に配置し直す方法も記載されている。
【０００４】
しかし、特許文献１，２に記載の技術においては、糸状弾性体における帯状シートの幅方向の端縁から延出する部分を短く揃えて切断することが難しく、伸長状態を解除されて該端縁から延出する部分が、不規則な方向に向いた状態に残る等により、製造された伸縮性シートの見栄えが悪くなってしまう。
【先行技術文献】
【特許文献】
【０００５】
【特許文献１】特開昭６３−２４３３０９号公報
【特許文献２】特開２０１０−２２５８８号公報
【発明の概要】
【発明が解決しようとする課題】
【０００６】
したがって、本発明の課題は、前述した従来技術が有する欠点を解消し得る伸縮性シートの製造方法を提供することにある。
【課題を解決するための手段】
【０００７】
本発明は、一対の帯状シートの間に糸状弾性体を該帯状シートの搬送方向と交差する方向に伸長した状態に固定した伸縮性シートを連続的に製造する伸縮性シートの製造方法であって、弾性体巻回手段を用いて糸状弾性体を、糸搬送用長手構造体に連続的に巻回し、巻回した該糸状弾性体を、該糸搬送用長手構造体によりその長手方向に搬送した後、前記帯状シート間に挟んで固定する固定工程と、該固定工程後に、前記糸状弾性体における前記帯状シートの幅方向両端縁から延出する部分を切断して、該糸状弾性体の前記糸搬送用長手構造体に対する巻回状態を解除する第１切断工程と、第１切断工程後に、前記糸状弾性体における前記帯状シートの幅方向両端縁から延出する部分の全体又は一部を切断により除去する第２切断工程とを具備する、伸縮性シートの製造方法を提供するものである。
【発明の効果】
【０００８】
本発明の伸縮性シートの製造方法によれば、一対の帯状シートの間に糸状弾性体を該帯状シートの搬送方向と交差する方向に伸長した状態に固定した伸縮性シートを連続的に製造する方法であって、帯状シートの幅方向の端縁から延出する糸状弾性体の不安定な部分を効率良く除去して、外観の良い伸縮性シートを効率よく製造することのできる伸縮性シートの製造方法が提供される。また、本発明の伸縮性シートの製造方法は、比較的簡易な設備により実施できる。
【図面の簡単な説明】
【０００９】
【図１】図１は、本発明の一実施態様により得られるウエストパネル材及び展開型使い捨ておむつを示す平面図である。
【図２】図２は、本発明の一実施態様の製造方法の実施に好適に用いられる伸縮性シートの製造装置を示す斜視図である。
【図３】図３は、図２に示す装置の回転アーム（弾性体巻回手段）より上流側の構成を示す斜視図である。
【図４】図４は、図２に示す製造装置で製造した伸縮性シート３Ａに対して、第２の切断工程を行うための切断手段の一例を模式的に示す斜視図である。
【図５】図５は、本発明の他の実施態様を示す斜視図（図４相当図）である。
【図６】図６は、本発明の他の実施態様を示す斜視図（図４相当図）である。
【発明を実施するための形態】
【００１０】
以下、本発明の伸縮性シートの製造方法を、その好ましい実施態様に基づき図面を参照しながら説明する。
本実施態様で製造する伸縮性シートは、図１に示すように、例えば、展開型の使い捨ておむつ１のウエストパネル３に用いられる。従って、先ず、本実施態様により製造される伸縮性シートをウエストパネルに用いた展開型の使い捨ておむつ１について説明する。
【００１１】
展開型の使い捨ておむつ１（以下、「おむつ１」ともいう。）は、図１に示すように、装着時に装着者の腹側に位置する腹側部Ａ、背側に位置する背側部Ｂ、及び腹側部Ａと背側部Ｂとの間に位置する股下部Ｃを有する吸収性本体２と、背側部Ｂの左右両外方に連設された左右一対のウエストパネル３，３とを有する。おむつ１は、図１に示すように、腹側部Ａの左右両外方に連設された左右一対のパネル材４，４を有している。尚、おむつ１の吸収性本体２は、図１に示すように、平面状に拡げた状態において、長方形状である。また、おむつ１のパネル材４は、図１に示すように、平面状に拡げた状態において、台形状であり、長さの長い下底側が、接着剤や融着等の手段により吸収性本体２に固定されている。
以下の説明では、吸収性本体２の長手方向（おむつ１の長手方向でもある）をＹ方向、吸収性本体２の幅方向（おむつ１の幅方向でもある）をＸ方向として説明する。
【００１２】
一対のウエストパネル３，３それぞれは、平面状に拡げた状態において、矩形状である。各ウエストパネル３は、２枚のシート５，６と、２枚のシート５，６の間に伸長した状態で配された複数本の糸状弾性体７とを有している。各ウエストパネル３は、一対のシート５，６の間に糸状弾性体７をＹ方向と交差する方向に伸長した状態で固定された伸縮性シートからなる。具体的には、各ウエストパネル３は、図１に示すように、同形同大の矩形状の２枚のシート５，６の間に、Ｙ方向と直交する方向（Ｘ方向）に伸長した糸状弾性体を、Ｙ方向に略等間隔を空けて配して、接着剤や融着等の手段により一体的に固定して形成されている。このように形成された矩形状のウエストパネル３には、そのＸ方向外方側の端部にファスニングテープ８が接着剤や融着等の手段により固定されている。また、矩形状のウエストパネル３は、そのＸ方向内方側の端部が接着剤や融着等の手段により吸収性本体２の背側部Ｂに固定され、背側部ＢのＸ方向外方に連設されている。尚、本実施態様で製造されるウエストパネル３（伸縮性シート）の有する糸状弾性体７は、Ｙ方向と直交する方向に伸長されているが、Ｙ方向と交差する方向に伸長されていればよい。
【００１３】
本おむつ１において、ウエストパネル３を構成する伸縮性シートは、製造時におけるシートの搬送方向ｙがＹ方向と平行となり、製造時におけるシートの搬送方向に直交する方向ｘがＸ方向と一致するように固定されている。
【００１４】
吸収性本体２は、図１に示すように、液透過性の表面シート２１と、液不透過性又は撥水性の裏面シート２２と、これら両シート２１，２２間に介在された液保持性の吸収体２３とを有している。吸収性本体２は、図１に示すように、おむつ１の内面をなす表面シート２１と、おむつ１の外面をなす裏面シート２２とを、これら両シート２１，２２間に吸収体２３を介在させて接合することにより形成されている。また、吸収性本体２は、図１に示すように、Ｙ方向の両側部に沿って立体ガード形成用シート２４，２４を配設してなる。立体ガード形成用シート２４は、吸収性本体２のＹ方向両側部に沿って表面シート２１に固定されている。各立体ガード形成用シート２４は、Ｘ方向内方側の端縁近傍に沿って立体ガード形成用の弾性部材２５を有しており、着用時には、その弾性部材２５の収縮力により、該端縁から所定幅の部分が表面シート２１から離間して立体ガードを形成する。また、吸収性本体２の長手方向両側部の脚廻りに配される部分には、レッグギャザー形成用の弾性部材２６が配されている。着用時には、弾性部材２６の収縮によりレッグギャザーが形成され、脚廻りに対して良好にフィットする。
【００１５】
おむつ１の形成材料について説明する。
ウエストパネル３を構成するシート５，６及びパネル材４としては、通常、使い捨ておむつ等の吸収性物品に用いられるものであれば、特に制限なく用いることができる。例えば、シート５，６及びパネル材４としては、不織布、織物、フィルムまたはそれらの積層シート等を用いることができる。吸収性本体２を構成する表面シート２１、裏面シート２２としては、それぞれ、通常、使い捨ておむつ等の吸収性物品に用いられるものであれば、特に制限なく用いることができる。例えば、表面シート２１としては、親水性且つ液透過性の不織布等を用いることができ、裏面シート２２としては、液不透過性又は撥水性の樹脂フィルムや樹脂フィルムと不織布の積層体等を用いることができる。吸収体２３としては、パルプ繊維等の繊維の集合体（不織布であっても良い）又はこれに吸水性ポリマーの粒子を保持させてなる吸収性コアを、透水性の薄紙や不織布からなるコアラップシートで被覆したもの等を用いることができる。立体ガードを構成する立体ガード形成用シート２４としては、伸縮性のフィルム、不織布、織物またはそれらの積層シート等を用いることができる。
【００１６】
糸状弾性体７及び立体ガードを構成する弾性部材２５としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。本発明における糸状弾性体には、断面が円形、正方形状のものの他、楕円形、断面矩形等の細幅帯状のものも含まれ、マルチフィラメントタイプのものも用いることができる。糸状弾性部材の幅（又は径）は、例えば、０．１〜３ｍｍであり、好ましくは１ｍｍ以下である。ファスニングテープ８としては、例えば、不織布等のテープ基材の一方の面上にメカニカルファスナーのフック部材を熱融着や接着剤等により貼り付けてなるものを用いることができる。
【００１７】
次に、本発明の伸縮性シートの製造方法の好ましい実施態様を、上述したおむつ１のウエストパネル３（伸縮性シート）を製造する場合を例にとり図面を参照しながら説明する。
図２は、本実施態様のウエストパネル３（伸縮性シート）の製造方法に好適に用いられる伸縮性シートの製造装置を模式的に示したものである。図４は、図２に示す製造装置で製造した伸縮性シート３Ａに対して、第２の切断工程を行うための切断手段の一例を模式的に示したものである。
【００１８】
図２に示す製造装置１１は、ウエストパネル３に使用される伸縮性シート３Ａを連続的に製造する装置であり、シートの搬送方向（ｙ方向）と直交する方向（ｘ方向）に離間した一対の搬送ベルト１２，１３に、糸状弾性体７を連続的に巻回する弾性体巻回用の回転アーム（弾性体巻回手段）１４を備えている。また、製造装置１１は、図２及び図３に示すように、糸状弾性体７を連続して繰り出し、回転アーム１４に糸状弾性体７を伸長状態で導入する弾性体供給手段１５と、前述の一対の搬送ベルト１２，１３により糸状弾性体７を一対の帯状シート５０，６０の間に搬送する搬送手段１６と、一対のニップローラー１７１，１７２を用いて一対の帯状シート５０，６０の間に伸長状態の糸状弾性体７を固定する一体化手段１７と、帯状シート５０，６０の幅方向両端部それぞれから延出している糸状弾性体７を切断する切断手段１８とを備えている
本実施態様においては、一対の搬送ベルト１２，１３が、本発明における糸搬送用長手構造体であり、該糸搬送用長手構造体の長手方向は、両搬送ベルト１２，１３の延設方向（ｙ方向）である。
【００１９】
シートの搬送方向は、一対の搬送ベルト１２，１３に巻回された糸状弾性体７の搬送方向又はその糸状弾性体７と一体化されたシート（帯状シート５０及び／又は６０）の搬送方向である。
図２中矢印のｙ方向は、シートの搬送方向である、糸状弾性体７や一対の帯状シート５０，６０の搬送方向を示し、最終的に本実施態様により製造されるウエストパネル３（伸縮性シート）の搬送方向及び該ウエストパネル３（伸縮性シート）を取り付けたおむつ１の連続体の搬送方向とも同じ方向である。また、図２中矢印のｘ方向は、帯状シート５０，６０の幅方向であり、シートの搬送方向と直交する方向である。また、図２中矢印のｚ方向は、後述する一対のニップローラー１７１，１７２どうしが対向する方向である。
【００２０】
搬送手段１６の搬送ベルト１２は、図２に示すように、無端状の回転ベルトであり、上下２段の上段搬送ベルト１２ａと下段搬送ベルト１２ｂとからなる。上段搬送ベルト１２ａは、回転軸方向がｚ方向に配されたプーリー１２１，１２２間に架け渡されている。下段搬送ベルト１２ｂは、回転軸方向がｚ方向に配されたプーリー１２４，１２５間に架け渡されている。プーリー１２１は、一対の帯状シート５０，６０の間に伸長状態の糸状弾性体７を固定する一対のニップローラー１７１，１７２の下流側に位置し、プーリー１２２は、ニップローラー１７１，１７２の上流側に位置している。プーリー１２４は、ニップローラー１７１，１７２よりも下流側に位置し、プーリー１２５は、ニップローラー１７１，１７２の上流側に位置している。プーリー１２１，１２４は、同じ位置に上下２段で配されている。また、プーリー１２２，１２５も、同じ位置に上下２段で配されている。また、プーリー１２２（プーリー１２５）は、帯状シート５０，６０のｘ方向端部よりもｘ方向外方に位置している。プーリー１２１及びプーリー１２４それぞれには、その駆動部にサーボモーター（不図示）が連設されており、上段搬送ベルト１２ａ及び下段搬送ベルト１２ｂそれぞれの回転速度を変更することができる。
【００２１】
搬送手段１６の搬送ベルト１３は、図２に示すように、搬送ベルト１２と同様に、無端状の回転ベルトであり、上下２段の上段搬送ベルト１３ａと下段搬送ベルト１３ｂとからなる。上段搬送ベルト１３ａは、回転軸方向がｚ方向に配されたプーリー１３１，１３２間に架け渡されている。下段搬送ベルト１３ｂは、回転軸方向がｚ方向に配されたプーリー１３４，１３５間に架け渡されている。プーリー１３１は、一対のニップローラー１７１，１７２の下流側に位置し、プーリー１３２は、ニップローラー１７１，１７２の上流側に位置している。プーリー１３４は、ニップローラー１７１，１７２よりも下流側に位置し、プーリー１３５は、ニップローラー１７１，１７２の上流側に位置している。プーリー１３１，１３４は、同じ位置に上下２段で配されている。また、プーリー１３２，１３５も、同じ位置に上下２段で配されている。また、プーリー１３２（プーリー１３５）は、帯状シート５０，６０のｘ方向端部よりもｘ方向外方に位置している。プーリー１３１及びプーリー１３４それぞれには、その駆動部にサーボモーター（不図示）が連設されており、上段搬送ベルト１３ａ及び下段搬送ベルト１３ｂそれぞれの回転速度を変更することができる。
【００２２】
図２に示すように、上述のように配されたプーリー１２１，１２２及びプーリー１２４，１２５に架け渡されることにより搬送ベルト１２（上段搬送ベルト１２ａ，下段搬送ベルト１２ｂ）は、一対のニップローラー１７１，１７２の上流側から下流側に亘って配される。また、上述のように配されたプーリー１３１，１３２及びプーリー１３４，１３５に架け渡されることにより搬送ベルト１３（上段搬送ベルト１３ａ，下段搬送ベルト１３ｂ）は、一対のニップローラー１７１，１７２の上流側から下流側に亘って配される。更に、搬送ベルト１２（上段搬送ベルト１２ａ，下段搬送ベルト１２ｂ）及び搬送ベルト１３（上段搬送ベルト１３ａ，下段搬送ベルト１３ｂ）は、帯状シート５０，６０のｘ方向外方に位置し、互いに左右対称に配されている。搬送ベルト１２（上段搬送ベルト１２ａ，下段搬送ベルト１２ｂ）及び搬送ベルト１３（上段搬送ベルト１３ａ，下段搬送ベルト１３ｂ）は、それぞれの外周側がｙ方向に移動するように回転する。
【００２３】
搬送ベルト１２（上段搬送ベルト１２ａ，下段搬送ベルト１２ｂ）及び搬送ベルト１３（上段搬送ベルト１３ａ，下段搬送ベルト１３ｂ）は、何れもタイミングベルトであることが好ましい。搬送ベルト１２（上段搬送ベルト１２ａ，下段搬送ベルト１２ｂ）及び搬送ベルト１３（上段搬送ベルト１３ａ，下段搬送ベルト１３ｂ）の回転速度、即ち、プーリー１２１及びプーリー１２４並びにプーリー１３１及びプーリー１３４それぞれの駆動部に配されたサーボモーター（不図示）の回転速度は、製造装置１１の備える制御部（不図示）により、制御されている。
【００２４】
回転アーム１４は、図２に示すように、軸部１４２、周回部１４３及び連結部１４４を有するアーム部１４１と、軸部１４２の中心線を回転軸として、アーム部１４１を回転させる駆動機構１４７とを備えている。連結部１４４は、軸部１４２及び周回部１４３のそれぞれに対して角度をなして結合しており、周回部１４３と軸部１４２とは略平行となっている。軸部１４２は、その一端に糸状弾性体７の導入口１４５を有し、周回部１４３は、その一端に、糸状弾性体７の導出口１４６を有しており、導入口１４５から導入された糸状弾性体７が、軸部１４２、連結部１４４及び周回部１４３を通って導出口１４６からスムーズに導出される。アーム部１４１の屈曲部や導出口１４６等には、糸状弾性体７との間の摩擦を低減し得る各種公知の部材（従動ロールや低摩擦部材等）を配置することもできる。
【００２５】
周回部１４３は、導出口１４６の位置が、搬送ベルト１２（上段搬送ベルト１２ａ，下段搬送ベルト１２ｂ）及び搬送ベルト１３（上段搬送ベルト１３ａ，下段搬送ベルト１３ｂ）の上流側の端部より下流側に配されている。回転アーム１４は、その駆動部（軸部１４２）にサーボモーター１４８が取り付けられており、該サーボモーター１４８の回転により、周回部１４３が、搬送ベルト１２（上段搬送ベルト１２ａ，下段搬送ベルト１２ｂ）及び搬送ベルト１３（上段搬送ベルト１３ａ，下段搬送ベルト１３ｂ）の外周を周回する。導出口１４６が回転する軌跡の直径は、一対の搬送ベルト１２，１３の外面間の距離より大きい。
このような回転アーム１４により、取り込んだ糸状弾性体７を、搬送ベルト１２（上段搬送ベルト１２ａ，下段搬送ベルト１２ｂ）及び搬送ベルト１３（上段搬送ベルト１３ａ，下段搬送ベルト１３ｂ）の上流側の端部であって且つそれぞれの外周側に連続的に巻回することができる。回転アーム１４の回転速度、即ち、サーボモーター１４８の回転速度は、製造装置１１の備える制御部（不図示）により、制御されている。
【００２６】
弾性体供給手段１５は、図３に示すように、糸状弾性体７を巻き付けたボビン７０の下流側に位置して糸状弾性体７にブレーキによりテンションをかけるテンサー１５１と、テンサー１５１の下流側に位置してボビン７０から糸状弾性体７を繰り出す繰り出しローラー１５２と、繰り出しローラー１５２の下流側に位置してテンションを測定するためのテンション測定器１５３とを備えている。繰り出しローラー１５２は、その回転軸方向がｘ方向に配されている。繰り出しローラー１５２には、その駆動部にサーボモーター（不図示）が取り付けられている。繰り出しローラー１５２は、その外周に糸状弾性体７が２回巻き付けられて使用される。製造装置１１の備える制御部（不図示）により、テンション測定器１５３による検出出力に基づき、サーボモーター（不図示）の回転速度、即ち繰り出しローラー１５２の回転速度を制御し、所定のテンションで糸状弾性体７をボビン７０から巻き出すことができる。
【００２７】
弾性体供給手段１５は、図３に示すように、繰り出しローラー１５２の下流側に位置するフィードローラー１５６を備えている。フィードローラー１５６は、回転アーム１４と繰り出しローラー１５２との間に配され、その回転軸方向がｘ方向に配されている。フィードローラー１５６は、その駆動部にサーボモーター（不図示）が取り付けられている。サーボモーター（不図示）の回転速度、即ちフィードローラー１５６の回転速度は、製造装置１１の備える制御部（不図示）により、制御されている。
【００２８】
一体化手段１７は、図２に示すように、一対のニップローラー１７１，１７２を備えている。一対のニップローラー１７１，１７２としては、金属製の円筒形のローラーや、低硬度シリコンゴム製の円筒形のローラーを用いることができる。一対のニップローラー１７１，１７２は、何れか一方の駆動部にサーボモーター（不図示）が取り付けられており、製造装置１１が備える制御部（不図示）により回転速度が制御されている。一対のニップローラー１７１，１７２それぞれの回転軸には駆動伝達用のギヤが取り付けられている。この駆動手段（不図示）により、伸縮性シートの生産速度に基づき、サーボモーター（不図示）の回転速度、即ち一方のニップローラー１７１，１７２の回転速度をコントロールすることができる。その際、駆動伝達用のギヤが噛み合うことによって、他方のニップローラー１７２，１７１にも駆動力が伝達され、一対のニップローラー１７１，１７２を回転させることができる。一対のニップローラー１７１，１７２の軸受け部分は、一対の帯状シート５０，６０の間に伸長状態の糸状弾性体を確実に固定する為に、油圧、空圧、バネ等の力を利用して、それぞれの軸受け部分が加圧されている。
【００２９】
一対のニップローラー１７１，１７２は、図２に示すように、搬送ベルト１２（上段搬送ベルト１２ａ，下段搬送ベルト１２ｂ）の内周側と搬送ベルト１３（上段搬送ベルト１３ａ，下段搬送ベルト１３ｂ）の内周側との間に位置している。
【００３０】
切断手段１８は、図２に示すように、搬送されてくる糸状弾性体７が当たる部分が先鋭な切断刃となされたカッター１８０を備えている（搬送ベルト１３側のカッター１８０は図示略）。カッター１８０は、支持体（不図示）により、糸状弾性体７が当たる位置に配置されており、糸状弾性体７が、搬送ベルト１２，１３により搬送されてカッター１８０に押しつけられることにより切断される。切断手段１８は、ｙ方向においては、一対のニップローラー１７１，１７２と、搬送ベルト１２（上段搬送ベルト１２ａ，下段搬送ベルト１２ｂ）のプーリー１２１，１２４及び搬送ベルト１３（上段搬送ベルト１３ａ，下段搬送ベルト１３ｂ）のプーリー１３１，１３４との間に位置している。切断手段１８により糸状弾性体７を切断するｘ方向の位置は、ニップローラー１７１，１７２と搬送ベルト１２，１３との間であっても良いし、搬送ベルト１２，１３それぞれの内周部と外周部との間であっても良いし、搬送ベルト１２，１３それぞれの外周部の外側であっても良い。また、切断手段１８としては、糸状弾性体７を切断し得る各種公知のものを特に制限なく使用することができ、例えば、外周面に周方向に亘る切断刃を備えたカッターローラーと該切断刃を受けるアンビルローラーとを備えたローラーカッター等を用いることもできる。また、レーザーや熱等により切断してもよい。
【００３１】
図４に示す第２切断手段１９は、図２に示す製造装置１１の下流に配して、製造装置１１で製造した伸縮性シート３Ａに対して、第２の切断工程を行うものである。第１の切断工程は、図２に示すように、一対の搬送ベルト１２，１３間に架け渡されて伸長状態となっている糸状弾性体７を、帯状シート５０，６０の幅方向両端縁から延出する部分において切断する工程であり、前述した切断手段１８により行う工程であるのに対して、第２の切断工程は、第１の切断工程によって伸長状態が解除されて生じた、伸縮性シート３Ａにおける、帯状シート５０，６０の幅方向両端縁から延出する部分７２，７２の全体又は一部を除去する工程であり、第２切断手段１９により行う。第２の切断工程で除去する前記部分７２は、通常、収縮状態において切断されるが、伸長状態とした状態で切断しても良い。
【００３２】
第２切断手段１９は、図４に示すように、スコアカッターローラー１９３とアンビルローラー１９４とを備えている。スコアカッターローラー１９３及びアンビルローラー１９４の上流及び下流側には、搬送ローラーやベルトコンベア等の搬送手段（不図示）が配されており、図２の製造装置で製造された伸縮性シート３Ａは、その搬送手段によって搬送されて、スコアカッターローラー１９３とアンビルローラー１９４との間に導入される。
【００３３】
スコアカッターローラー１９３は、図４に示すように、軸長方向に離間した２つのカッター刃１９５，１９５を備えている。カッター刃１９５は、それぞれ、スコアカッターローラー１９３の全周に亘って形成されており、２つのカッター刃１９５，１９５の間隔は、搬送されてきた伸縮性シート３Ａにおけるシート部分（帯状シート５０，６０）の幅より若干広い幅となっている。
アンビルローラー１９４は、図４に示すように、スコアカッターローラー１９３の２つのカッター刃１９５，１９５間に亘る円柱状の外周面を有している。
【００３４】
第２切断手段１９の近傍には、図４に示すように、第２切断手段１９である一対のスコアカッターローラー１９３及びアンビルローラー１９４により切断された、一対の帯状シート５０，６０の幅方向両端に延出していた糸状弾性体７の不要部分７２を吸引する吸引部１９６，１９６を備えている。吸引部１９６は、カッター刃１９５が、アンビルローラー１９４の周面に当たる部分に近接させて配置されている。
【００３５】
次に、上述した製造装置１１等を用いて伸縮性シートを製造する方法について説明する。
【００３６】
先ず、図３に示すように、糸状弾性体７を連続して繰り出し、繰り出された糸状弾性体７を伸長状態で弾性体巻回手段としての回転アーム１４に導入する。
詳述すると、繰り出しローラー１５２を用いて、糸状弾性体７を巻き付けたボビン７０から糸状弾性体７を連続して繰り出す。本実施態様では、ボビン７０は、回転しないものであるが、回転するものであっても良い。繰り出す際には、テンション測定器１５３による糸状弾性体７のテンションの検出出力に基づき、製造装置１１の備える制御部（不図示）によって、巻き出しローラー１５２の回転速度やテンサー１５１のブレーキを調整し、所定のテンションでボビン７０から糸状弾性体７を繰り出す。
【００３７】
そして、その糸状弾性体７を回転アーム１４に導入するのであるが、導入する際には、前述したフィードローラー１５６により、回転アーム１４（弾性体巻回手段）に導入する糸状弾性体７の速度を一定の速度に調整して導入する。導入速度は、一対の搬送ベルト１２，１３に巻回させる巻回速度に応じた速度とする。
【００３８】
そして、図２，図３に示すように、回転アーム１４を用いて伸長状態の糸状弾性体７を一対の搬送ベルト１２，１３に連続的に巻回し、一対の搬送ベルト１２，１３を用いて連続的に巻きかけられた糸状弾性体７を一対の帯状シート５０，６０の間に搬送する。詳述すると、伸長状態で回転アーム１４に供給された糸状弾性体７は、導入口１４５から、アーム部１４１内に導入され、軸部１４２、連結部１４４及び周回部１４３内を通って、導出口１４６から導出される。導出口１４６から導出される糸状弾性体７は、回転アーム１４が回転しながら導出されることによって、搬送ベルト１２（上段搬送ベルト１２ａ，下段搬送ベルト１２ｂ）の上流側の端部における外周側及び搬送ベルト１３（上段搬送ベルト１３ａ，下段搬送ベルト１３ｂ）の上流側の端部における外周側に巻回する。ここで、搬送ベルト１２（上段搬送ベルト１２ａ，下段搬送ベルト１２ｂ）及び搬送ベルト１３（上段搬送ベルト１３ａ，下段搬送ベルト１３ｂ）の回転走行により、搬送ベルト１２（上段搬送ベルト１２ａ，下段搬送ベルト１２ｂ）の外周側及び搬送ベルト１３（上段搬送ベルト１３ａ，下段搬送ベルト１３ｂ）の外周側に糸状弾性体７を連続的に螺旋状に巻きかけられる。この連続的に巻きかけられた糸状弾性体７を下流側の一対の帯状シート５０，６０の間に搬送する。
【００３９】
ここで、一対の搬送ベルト１２，１３に巻きかけられた糸状弾性体７は、ｙ方向と交差する方向に伸長しており、ｙ方向と直交する方向には配されていない。巻きかけられた糸状弾性体７をｙ方向と直交する方向（ｘ方向）に修正するには、例えば、図２に示すように、糸状弾性体７が巻きかけられている場合には、搬送ベルト１２においては、上段搬送ベルト１２ａの回転速度を下段搬送ベルト１２ｂの回転速度よりも遅くし、搬送ベルト１３においては、下段搬送ベルト１３ｂの回転速度を上段搬送ベルト１３ａの回転速度よりも遅くすることにより、ｙ方向への搬送中に糸状弾性体７の傾きを徐々に変化させ、一対の帯状シート５０，６０の間に搬送するまでに、糸状弾性体７の傾きをｙ方向と直交する方向（ｘ方向）に修正することができる。
【００４０】
図２に示すように、帯状シート５０は、予め、セーラー（不図示）等により、長手方向の両側部（ｘ方向の両端部）それぞれが外面側（帯状シート６０と接合されない面対向しない非対向面側）に折られており、搬送ベルト１２（上段搬送ベルト１２ａ，下段搬送ベルト１２ｂ）及び搬送ベルト１３（上段搬送ベルト１３ａ，下段搬送ベルト１３ｂ）の上段側から一対のニップローラー１７１，１７２の間に供給されている。また、図２に示すように、帯状シート６０は、予め、セーラー（不図示）等により、長手方向の両側部（ｘ方向の両端部）それぞれが外面側（帯状シート５０と対向しない非対向面側）に折られており、搬送ベルト１２（上段搬送ベルト１２ａ，下段搬送ベルト１２ｂ）及び搬送ベルト１３（上段搬送ベルト１３ａ，下段搬送ベルト１３ｂ）の下段側から一対のニップローラー１７１，１７２の間に供給されている。尚、帯状シート５０及び／又は帯状シート６０は、一対のニップローラー１７１，１７２の間に供給される前に、その内面側に接着剤が塗布されている。接着剤の塗布は全面にスパイラル状に塗布されていてもよいし、ベタ状に塗布されていてもよい。
【００４１】
次いで、ニップローラー１７１，１７２を用いて一対の帯状シート５０，６０の間に糸状弾性体７を伸長状態で固定する。詳述すると、連続的に巻きかけられた糸状弾性体７が一対の帯状シート５０，６０の間に配された連続体を、一対のニップローラー１７１，１７２間に供給し、一対の帯状シート５０，６０の間に糸状弾性体７を伸長状態で固定する。以上に説明した通り、糸状弾性体７を、シート５０，６０の搬送方向と直交する方向（ｘ方向）に離間した一対の搬送ベルト１２，１３に巻回し、巻回した該糸状弾性体７を、一対の搬送ベルト１２，１３により搬送した後、このように、ニップローラー１７１，１７２を用いて、糸状弾性体７を、帯状シート５０，６０間に挟んで固定するまでの工程が、本実施形態における固定工程である。
【００４２】
次いで、一対の帯状シート５０，６０の幅方向（ｘ方向）両端縁それぞれから延出している糸状弾性体７を前述したカッター１８０で切断する（第１切断工程）。この第１切断工程は、一対の搬送ベルト１２，１３間に架け渡されて伸長状態となっている糸状弾性体７を切断し、この切断によって、糸状弾性体の一対の搬送ベルト１２，１３に対する巻回状態が解除され、帯状シート５０，６０の幅方向両端縁それぞれから糸状弾性体７が延出している伸縮性シート３Ａが得られる。この伸縮性シート３Ａにおける帯状シート５０，６０の幅方向両端縁から延出している部分は、収縮した状態（自然状態）となっている。
なお、本実施形態において、帯状シート５０，６０は、長手方向の両側部が折り返されており、帯状シートの幅方向両端縁は、折り返された状態での端縁である。
【００４３】
次いで、その伸縮性シート３Ａを、第２切断手段１９まで搬送し、第２切断手段１９により、その伸縮性シート３Ａにおける糸状弾性体７の、帯状シート５０，６０の幅方向両端縁から延出する収縮部分７２，７２の全体又は一部を切断により除去する。
本実施形態における第２切断工程においては、図４に示すように、伸縮性シート３Ａのｙ方向のいずれの糸状弾性体７についても、帯状シート５０，６０の幅方向両端縁から延出する部分のみを切断する。詳述すると、図４に示すように、カッター刃１９５を有するスコアカッターローラー１９３とアンビルローラー１９４とにより、帯状シート５０，６０のｘ方向両外方端それぞれよりも外方に位置する糸状弾性体７の部分、即ち、一対の帯状シート５０，６０間に固定されていない糸状弾性体７であって、糸状弾性体７の余った部分を切断する。
【００４４】
この切断は、糸状弾性体７に加えて、伸縮性シート３Ａにおけるシート部分（帯状シート５０，６０）も糸状弾性体７によって幅方向に収縮した状態で行う。但し、帯状シート５０，６０部分の伸長状態を維持したまま、第２切断手段まで搬送し、その状態で、帯状シート５０，６０の幅方向両端縁から延出する収縮部分７２を切断しても良い。
この第２切断工程によって、帯状シート５０，６０の幅方向両端縁から延出する収縮部分７２を切断することにより、糸状弾性体７の両端部の不要な部分を短く揃えて切断除去できるので、製造された伸縮性シートの見栄えが向上する。また、吸引部１９６，１９６を設けることで、糸状弾性体７に切断により生じた切断片が、製造する伸縮性シート３内に入り込んだり、ローラー１９３，１９４等に付着することによる不都合を防止することができる。
【００４５】
第２切断工程においては、固定工程後の伸縮性シート３Ａの糸状弾性体７を、帯状シートの幅方向両端縁から延出する部分の長さＬ１が０〜５ｍｍ、特に０〜３ｍｍとなるように切断することが、その延出部分によって、伸縮性シート３の外観が悪化することを防止する観点から好ましい。帯状シート５０，６０の幅方向両端縁とほぼ同位置で糸状弾性体７を切断して、糸状弾性体７における、該両端縁から延出する部分を完全に無くしてもよい。
【００４６】
次いで、外面側に折られた帯状シート５０，６０それぞれの幅方向両端部（ｘ方向の両端部）を、セーラー（不図示）等により、幅方向外方に拡げ、それぞれの拡げた部分同士を、接着剤や融着等の公知の接合手段により接合する。
これにより、一対の帯状シート５０，６０の間に糸状弾性体７をｙ方向と交差する方向に伸長した状態に固定した帯状の伸縮性シートを連続的に製造することができる。
また、この製造された帯状の伸縮性シートを、公知の切断手段（図示せず）により、間欠的にｘ方向に亘って切断する。間欠的に切断する間隔は、おむつ１の備えるウエストパネル３の寸法と同じである。これにより、ウエストパネル３（伸縮性シート）を連続的に製造することができる。
【００４７】
本実施態様によれば、一対の搬送ベルト１２，１３に対する糸状弾性体７の巻回状態を解除する第１切断工程の後に、それとは別工程で、糸状弾性体７における帯状シートの幅方向両端縁から延出する収縮部分７２，７２の全体又は一部を切断しているため、帯状シート５０，６０の幅方向両端縁から延出する糸状弾性体の不安定な部分を効率良く除去して、外観の良い伸縮性シート３を効率よく製造することができる。
【００４８】
また、糸状弾性体７の一対の搬送ベルト１２，１３に対する巻回状態を解除するための切断を行う際に、帯状シートの幅方向両端縁から延出する部分の完全に切除するには、一本の糸状弾性体が切断された後も、その次の糸状弾性体が収縮しないように維持しながら、切断を行わなければならず、切断手段の構成が複雑となる。これに対して、本実施態様のように、一対の搬送ベルト１２，１３に対する巻回状態を解除するための糸状弾性体の切断と、不要な部分を短く揃えて切断する切断とを、別工程で行うことにより、伸縮性シートの製造装置が複雑化するのを防止しつつ、不要な部分を除去した外観の良い伸縮性シートを効率よく製造することができる。
【００４９】
また、本実施態様においては、幅方向両端部（ｘ方向の両端部）をそれぞれの外面側（非対向面側）に折り返して細幅にした帯状シート５０，６０を用いて、前述した固定工程、第１切断工程及び第２切断工程を行った後、該帯状シート５０，６０それぞれの折り返し部分を拡げて、一対の該帯状シートの拡げた部分５０Ａ，６０Ａ同士を、接合することにより、図４に示すように、帯状シートの両端から糸状弾性体７が延出しない伸縮性シート３を得ている。そのため、第２切断工程において、糸状弾性体７の収縮部分７２を、帯状シートの幅方向両端縁から延出する部分が若干残るように切断しても、最終的に得られる伸縮性シート３においては、その延出部分が殆ど目立たないようになる。
【００５０】
ウエストパネル３を備えるおむつ１の製造方法としては、公知の方法により、表面シート２１の連続体、裏面シート２２の連続体、及び両シート２１，２２の連続体間に、搬送方向（ｙ方向）に間欠的に複数個の吸収体２３，２３・・・を配し、表面シート２１の連続体の搬送方向（ｙ方向）の両側部に伸張した複数本の弾性部材２５及び立体ガード形成用シート２４の連続体を配した吸収性本体２の連続体を別工程で製造する。
この製造された吸収性本体２の連続体を、搬送方向（ｙ方向）に搬送しながら、ｘ方向両外方に突出するように一対のウエストパネル３を、吸収性本体２の連続体に含まれる吸収体２３毎に配したおむつ１の連続体を製造する。上述のようにして製造した伸縮性シートからウエストパネル３を形成することで、吸収性本体２との接合部に、糸状弾性体７が存在しないようにすることが容易であり、シール性が良くなるメリットもある。ここで、吸収性本体２の連続体の搬送方向（ｙ方向）と、ウエストパネル３（伸縮性シート）を製造する際の搬送方向（ｙ方向）は、同方向であり、ウエストパネル３（伸縮性シート）を９０°反転する必要はない。その後、その連続体を、公知の切断手段（図示せず）により、個々のおむつ１の寸法に切断して、おむつ１を製造することができる。
【００５１】
次に、本発明の第２及び第３実施態様について説明する。第２及び第３実施態様については、上述した実施態様と異なる点について主として説明し、同様の点については、同一の符号を付して説明を省略する。特に説明しない点は、上述した実施態様と同一とすることができる。
【００５２】
第２実施態様においては、図５に示すように、第２切断手段として、一方又は双方が動く二枚の摺接する刃を備えたシェアカッター１９Ａを用いている。シェアカッター１９Ａは、伸縮性シート３Ａの両側に配されており、それぞれ、バリカンのように、二枚の刃に間に糸状弾性体７を挟んで、その糸状弾性体７に剪断力を加えて切断する。第２実施態様においても、第１実施態様と同様の効果が得られる。
【００５３】
第３実施態様においては、一対の搬送ベルト１２，１３で搬送した後の糸状弾性体７を挟む一対の帯状シート５０，６０として、長手方向の両側部が折り返されていないシートを用いている。そして、そのような帯状シート５０，６０を用いる以外は、第１実施形態と同様にして得た伸縮性シート３Ａに対して、第２切断工程を行う際に、図６に示すように、帯状シート５０，６０それぞれの幅方向両端縁より内側の部分を切断して、該帯状シート５０，６０の一部５０Ｂ，６０Ｂと共に、糸状弾性体７の収縮部分７２を除去している。より詳細には、スコアカッターローラー１９３の２つのカッター刃１９５，１９５間の間隔を、帯状シート５０，６０の幅よりも狭くし、帯状シート５０の幅方向両端縁から所定幅離間した位置を、スコアカッターローラー１９３のカッター刃１９５とアンビルローラー１９４との間で加圧して、該伸縮性シート３Ａの長手方向に沿って連続的に切断している。
【００５４】
第３実施態様によれば、このようにして、図６に示すように、幅方向両端縁（ｘ方向の端縁）から糸状弾性体７が延出しない外観の良好な伸縮性シート３を効率よく製造することができる。
【００５５】
帯状シート５０，６０部分を切断して、シート幅方向両端縁から延出する収縮部分７２を除去する場合の切断位置は、該帯状シートの両側縁それぞれからの距離Ｌ２，Ｌ２が、該帯状シート５０，６０の全幅Ｗの０〜２０％となる位置であることが、カットされて無駄となるシート面積を抑えることができる点から好ましく、前記距離Ｌ２，Ｌ２が前記全幅Ｗの０〜１０％となる位置であることが、同様の観点からより好ましい。
【００５６】
本発明の伸縮性シートの製造方法及び使い捨ておむつの製造方法は、上述の実施態様に何ら制限されるものではなく、適宜変更可能である。
【００５７】
例えば、弾性体巻回手段としては、回転軸部分に糸状弾性体の導入部を有する円盤と該円盤からｙ方向の下流側に突出するアームとを有し、該アームが、搬送ベルト１２，１３の周囲を周回して、糸状弾性体を搬送ベルト１２，１３の周囲に巻回させるもの等を用いることもできる。また、特許文献１や２に記載のもの等を用いることもできる。
【００５８】
また、搬送ベルトとしては、一対の搬送ベルトではなく、ＷＯ２００５／０６０９１０に開示のようなコンベアベルトを用いてもよい。この場合、用いられるコンベアベルトは１本でよい。また、糸搬送用長手構造体として、特開２００２−１９２６４１号公報の図４〜６に記載されているスクリュー溝が設けられた糸支持部材を用いてもよい。
【００５９】
また、第３実施態様で用いたスコアカッターローラー１９３及びアンビルローラー１９４に代えて、第２実施態様で用いたような形態のシェアカッターを用いることもできる。また、第２切断工程における切断手段として、他の形態の、スコアカッターやシェアカッターを用いることもでき、また、固定刃や回転刃を用いることもできる。また、第１切断工程の切断手段として、第２切断工程と同様の切断手段を用いることもできる。
【００６０】
第１または第２実施態様の帯状シートは、第３実施態様のように長手方向の両側部（シートの幅方向両端部）が折り返されていないシートを用いてもよい。その場合、帯状シートの幅方向両端縁は、伸縮性シートの幅方向両端縁と同じである。また、折り返す場合には、片側のシートの幅方向端部だけでもよく、一方の帯状シートの端部のみでもよい。また、糸状弾性体７は、その傾きをｙ方向と直交する方向（ｘ方向）に修正したが、搬送ベルト１２に巻きつけた角度のまま修正せずに一対の帯状シート５０，６０に固定してもよい。
【００６１】
本発明の製造方法により製造される伸縮性シートは、使い捨ておむつ１のウエストパネル３以外に、展開型又はパンツ型の使い捨ておむつの胴周り部、パンツ型の生理用ナプキン、使い捨ての下着、使い捨てマスクの耳掛け部、掃除用シート、包帯などにも使用することができる。
また、ウエストパネル３は、伸縮性シートの片面に、面ファスナーのオス部材を固定して形成された係合部からなる止着手段や、粘着剤を塗工して形成された粘着部からなる止着手段を有するものであっても良い。これらの止着手段は、おむつの装着時に、例えば吸収性本体２の腹側部Ａ側の外面やパネル材４に固定されて用いられる。
【００６２】
また、上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００６３】
１  展開型の使い捨ておむつ
２  吸収性本体
２１  表面シート
２２  裏面シート
２３  吸収体
２４  立体ガード形成用シート
２５  弾性部材
３  ウエストパネル，ウエストパネルに使用される伸縮性シート
３Ａ    第２工程前の伸縮性シート
４  パネル材
５，６  シート
５０，６０  帯状のシート
７  糸状弾性体
７０  ボビン
１１  製造装置
１２  搬送ベルト（糸搬送用長手構造体の一部）
１２ａ  上段搬送ベルト
１２ｂ  下段搬送ベルト
１３  搬送ベルト（糸搬送用長手構造体の一部）
１３ａ  上段搬送ベルト
１３ｂ  下段搬送ベルト
１４  回転アーム（弾性体巻回手段）
１５  弾性体供給手段
１５１  テンサー
１５２  繰り出しローラー
１５３  テンション測定器
１５６  フィードローラー
１７  一体化手段
１７１，１７２  ニップローラー
１８  切断手段
１８０  カッター
１９，１９Ａ  第２切断手段
１９３  スコアカッターローラー
１９４  アンビルローラー
１９５  カッター刃
Ａ  腹側部，Ｂ  背側部，Ｃ  股下部
【図１】
2012090836.tif 000003
【図２】
2012090836.tif 000004
【図３】
2012090836.tif 000005
【図４】
2012090836.tif 000006
【図５】
2012090836.tif 000007
【図６】
2012090836.tif 000008
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
一対の帯状シートの間に糸状弾性体を該帯状シートの搬送方向と交差する方向に伸長した状態に固定した伸縮性シートを連続的に製造する伸縮性シートの製造方法であって、
弾性体巻回手段を用いて糸状弾性体を、糸搬送用長手構造体に連続的に巻回し、巻回した該糸状弾性体を、該糸搬送用長手構造体によりその長手方向に搬送した後、前記帯状シート間に挟んで固定する固定工程と、該固定工程後に、前記糸状弾性体における前記帯状シートの幅方向両端縁から延出する部分を切断して、該糸状弾性体の前記糸搬送用長手構造体に対する巻回状態を解除する第１切断工程と、第１切断工程後に、前記糸状弾性体における前記帯状シートの幅方向両端縁から延出する部分の全体又は一部を切断により除去する第２切断工程とを具備する、伸縮性シートの製造方法。
【請求項２】
第２切断工程において、前記糸状弾性体における、前記帯状シートの幅方向両端縁から延出する部分のみを切断する請求項１記載の伸縮性シートの製造方法。
【請求項３】
第２切断工程において、前記糸状弾性体を、前記帯状シートの幅方向両端縁から延出する部分の長さが５ｍｍ以下となるように切断する請求項２記載の伸縮性シートの製造方法。
【請求項４】
第２切断工程においては、前記帯状シートの幅方向両端縁より内側の部分を切断して、該帯状シートの一部と共に前記糸状弾性体の前記収縮部分を除去する請求項１記載の伸縮性シートの製造方法。
【請求項５】
前記帯状シートを切断する位置は、該帯状シートの幅方向両端縁それぞれからの距離が、該帯状シートの全幅の０〜２０％となる位置である、請求項４記載の伸縮性シートの製造方法。
【請求項６】
一対の前記帯状シートとして、幅方向両端部をそれぞれの外面側に折り返して細幅にした帯状シートを用いて、前述した固定工程、第１切断工程及び第２切断工程を行った後、該帯状シートそれぞれの折り返し部分を拡げて、一対の該帯状シートの拡げた部分同士を接合する、請求項１〜５の何れか１項記載の伸縮性シートの製造方法。
【請求項７】
前記切断工程においては、一対の前記帯状シートの幅方向両端部それぞれから延出している部分を、製造する伸縮性シートに含まれる糸状弾性体の長さが均一になるように切断する、請求項１〜６の何れか１項記載の伸縮性シートの製造方法。
【請求項８】
表面シート、裏面シート及びこれら両シート間に配された吸収体を有する吸収性本体と、伸縮性シートからなるウエストパネルとを有する使い捨ておむつの製造方法であって、
前記伸縮性シートを、請求項１〜７の何れか１項記載の伸縮性シートの製造方法により製造する工程を具備する、使い捨ておむつの製造方法。
【請求項９】
請求項１〜８の何れか１項記載の伸縮性シートの製造方法により得られた伸縮性シートをウエストパネルとして用いて使い捨ておむつを製造する方法であって、
前記使い捨ておむつは、表面シート、裏面シート及びこれら両シート間に配された吸収体を有する吸収性本体を有しており、
表面シートの連続体、裏面シートの連続体、及びこれら両シートの連続体間に、搬送方向に間欠的に配された複数個の吸収体を有する吸収性本体の連続体を製造する工程と、
この吸収性本体の連続体を、搬送方向に搬送しながら、該搬送方向と交差する方向の両外方に突出するように一対の前記ウエストパネルを、吸収性本体の連続体に含まれる吸収体毎に配する工程と、
ウエストパネルが配された吸収性本体の連続体を、個々のおむつの寸法に切断する工程とを具備する、使い捨ておむつの製造方法。